(57)【要約】【課題】  カメラ付き携帯電話機によりＰＣのディスプレイに表示された情報が盗撮されることを防止するシステムを提供する。【解決手段】  ユーザが所有するカメラ付き携帯電話機を収納するロッカーと、ユーザが所有するカメラ付き携帯電話機番号と収納すべきロッカー番号の情報がユーザ毎に登録されたテーブルと、ユーザが使用する情報端末の起動要求に対し、前記テーブルを参照し、当該ユーザが自身が所有する携帯電話機を予め定めたロッカー内に収納しているかを確認し、収納していたならば当該ユーザが使用する情報端末の起動を許可する手段とを有する管理装置とを備えることを特徴とする。【選択図】      図１
2006235819.tif 000002
【特許請求の範囲】
【請求項１】
ユーザが所有するカメラ付き携帯電話機を収納するロッカーと、
ユーザが所有するカメラ付き携帯電話機番号と収納すべきロッカー番号の情報がユーザ毎に登録されたテーブルと、ユーザが使用する情報端末の起動要求に対し、前記テーブルを参照し、当該ユーザが自身が所有する携帯電話機を予め定めたロッカー内に収納しているかを確認し、収納していたならば当該ユーザが使用する情報端末の起動を許可する手段とを有する管理装置と
を備えることを特徴とするカメラ付き携帯電話機による情報漏洩防止システム。
【請求項２】
前記テーブルに、ユーザが使用する情報端末のＩＰアドレスがさらに登録され、前記管理装置が、前記ロッカーに収納したカメラ付き携帯電話機への着信時に、前記ＩＰアドレスを参照してユーザの情報端末に対してＩＰ電話通信により着信を転送する手段をさらに備えることを特徴とする請求項１に記載のカメラ付き携帯電話機による情報漏洩防止システム。
【発明の詳細な説明】
【技術分野】
【０００１】
本発明は、パーソナルコンピュータ等の情報端末のディスプレイに表示された顧客情報や社外秘情報がカメラ付き携帯電話機のカメラ機能により盗撮され、外部へ漏洩することを防止するカメラ付き携帯電話機による情報漏洩防止システムに関するものである。
【背景技術】
【０００２】
最近、カメラ付き携帯電話機が広く普及し、今後ますます使用者の増加が予想される状況にある。ところが、これに相応して、好ましくない場所、禁止されている場所での撮影及び撮影データの送信等が行われたり、盗撮等の犯罪も増加してきている。
このような行為の防止策として、例えば、カメラ機能付き携帯電話機に撮影時の撮影表示用のＬＥＤ等の点灯や、撮影時の撮影音の鳴動等を行うように構成し、周囲に撮影動作を表示することが携帯電話機の機能に搭載されている。
また、下記特許文献１に記載のものは、例えば、屋外コンサート、屋内コンサート、記者発表、ディナーショウ、モータースポーツ、プロスポーツなどの各種の場所において、マネイジメント事務所、プロダクション、主催者や本人などの了解なしに勝手にカメラ付き携帯電話機を使用して盗撮するのを防ぐカメラ付き携帯電話防止カバーに関するものものであり、カバーをかける事により一時的にカメラ機能を使用不能にすることが可能である。
また、下記特許文献２に記載のものは、レベル設定によってカメラ付き携帯電話機の撮影機能等を規制することにより、違法な盗撮を防止するものであり、カメラ機能付き携帯電話機の撮影等の機能を停止させる制御信号を送信する信号送信装置と、前記制御信号に基づいて表示又は撮影動作が制御されるカメラ機能付き携帯電話機とからなり、前記信号送信装置は、規制レベルに応じた撮影、保存、送信、表示等を規制するそれぞれに対応する制御信号を送信可能であり、前記カメラ機能付き携帯電話機は、前記複数の制御信号のそれぞれの受信により、それぞれに応じて撮影、保存、送信、表示等の動作が規制される。
【特許文献１】特開２００４−２７５４３４号公報
【特許文献２】特開２００４−１５３３２４号公報
【発明の開示】
【発明が解決しようとする課題】
【０００３】
しかしながら、現在、携帯電話機に搭載されている撮影時の撮影表示用のＬＥＤ等の点灯や、撮影時の撮影音の鳴動等はあくまでも周囲に監視する人間が存在する場合の対応策であり、パーソナルコンピュータ等のディスプレイに表示された情報の盗撮を防止することを想定した場合にはその役割を果たさない。
また、前記特許文献１にあっても、カバーを掛けたカメラ付き携帯電話のユーザがカバーを外さないように常に誰かが監視することが必要であり、周りに監視者がいなくなればカバーを外して撮影を行うことは容易であり、盗撮を防止する能力は乏しいという問題がある。
また、前記特許文献２に記載のものは現時点で撮影禁止電波を受信する機能を装備していない携帯電話機には適用できないこと、携帯電話機に複雑な装置を組み込む必要があること、撮影禁止電波を発信する装置を取り付けなければならないという問題点が残されている。
【０００４】
本発明は、上記のような課題に鑑みなされたものであって、その目的とするところは、カメラ付き携帯電話機による情報端末画面上の盗撮を完全に防止し、かつ現在存在する比較的安価な装置構成で盗撮を防止することができるカメラ付き携帯電話機による情報漏洩防止システムを提供することにある。
【課題を解決するための手段】
【０００５】
上記目的を達成するために、本発明は、ユーザが所有するカメラ付き携帯電話機を収納するロッカーと、ユーザが所有するカメラ付き携帯電話機番号と収納すべきロッカー番号の情報がユーザ毎に登録されたテーブルと、ユーザが使用する情報端末の起動要求に対し、前記テーブルを参照し、当該ユーザが自身が所有する携帯電話機を予め定めたロッカー内に収納しているかを確認し、収納していたならば当該ユーザが使用する情報端末の起動を許可する手段とを有する管理装置とを備えることを特徴とする。
また、前記テーブルに、ユーザが使用する情報端末のＩＰアドレスがさらに登録され、前記管理装置が、前記ロッカーに収納したカメラ付き携帯電話機への着信時に、前記ＩＰアドレスを参照してユーザの情報端末に対してＩＰ電話通信により着信を転送する手段をさらに備えることを特徴とする。
【発明の効果】
【０００６】
本発明によれば、ユーザは予め定めたロッカー内に自身が所有するカメラ付き携帯電話機を正しく収納していなければ、自身が使用する情報端末を起動できなくなる。
これによって、情報端末のディスプレイの表示内容を盗撮不可能になり、情報漏洩を防止することができる。
また、情報端末を起動できた場合、着信に対しては、ＩＰ電話通信により着信が転送されるため、通話やデータ通信が可能になる。
【発明を実施するための最良の形態】
【０００７】
以下、本発明のカメラ付き携帯電話機を使用した盗撮による情報漏洩防止システムについて図面を参照して詳細に説明する。
図１は、本発明の実施形態の外観を表すものである。
本発明では、使用するユーザ１人に１つのロッカー１１が与えられ、それぞれのロッカー１１には番号が割り付けられている。
点線（ａ）はロッカー１１が他の装置や機器とは隔離されていることを示している。
１２は盗撮の原因となるカメラ付き携帯電話機である。カメラ付き携帯電話機１２は通話機能、カメラ機能を搭載している一般のカメラ付き携帯電話機であり、カメラ付き携帯電話機１１のデータ出力部分にケーブル１３を接続することにより携帯電話番号、及び音声データを外部に入出力できるタイプのものであれば特に制限はない。
各ロッカー１１内には図１のように、カメラ付き携帯電話機１２と携帯電話管理サーバ１４間で通信ができるようにケーブル１３が備えられている。
ケーブル１３は、隔離された場所間でデータを送受信することが可能であれば必ずしもケーブルに限らない。例えば、Ｂｌｕｅｔｏｏｔｈを搭載する携帯電話機であればＢｌｕｅｔｏｏｔｈによる手段を使用してもかまわない。
携帯電話管理サーバ１４は、カメラ付き携帯電話機１２とパーソナルコンピュータ（以下、ＰＣ）１５との間で通信を行う際の中継を担う装置であり、ユーザが使用するカメラ付き携帯電話機１２の番号とＰＣ１５のＩＰアドレスを元にして通信を中継する機能と、カメラ付き携帯電話機１２がロッカー１１内に格納されていることを確認する機能と、ＰＣ１５を遠隔操作により起動させることができる機能を備えている。
各ユーザが使用するＰＣ１５には、それぞれにＩＰアドレスが割り振られていてＩＰ電話により通話を行える環境が整っている。
１６は携帯電話管理サーバ１４とＰＣ１５をつなぐＬＡＮケーブルである。
なお、図１には携帯電話管理サーバ１４とＰＣ１５間の通信手段として、ＬＡＮケーブル１６を使用した例を示しているが、データ通信可能なものであれば、必ずしもここに示す方法に限らない。また、図１では本発明と直接関係がある機器のみを記載しているために、特に必須の機器以外は図示していない。
【０００８】
図２は、携帯電話管理サーバ１４内に設けられる携帯電話管理テーブルの例を示す図であり、例示する携帯電話管理テーブル２０は、ロッカー番号毎に、ユーザが使用するロッカー番号２１と、携帯電話番号２３と、ＰＣ１５のＩＰアドレス２２と、接続の有無２４の情報を格納するようになっている。
携帯電話管理テーブル２０は、図３の携帯電話管理サーバ１４の補助記憶装置３７に格納されて、ロッカー番号２１、ＩＰアドレス２２、携帯電話番号２３は事前に登録さるユーザ固有の値である。例えば、ロッカー番号０００１はＡさんが専用に使用するように予め決められており、そのロッカー番号０００１に対応するＩＰアドレス２２にはＡさんが専用に使用するＰＣ１５のＩＰアドレスが、また携帯電話番号２３にはＡさんが専用に使用する携帯電話番号がそれぞれ予め登録される。
なお、来客については、専用のロッカーが設けられ、同様にしてロッカー番号２１、ＩＰアドレス２２、携帯電話番号２３が一時的に登録される。
接続の有無２４はユーザのカメラ付き携帯電話機１２がロッカー１１内に格納されているかどうかを表した項目であり、ユーザがカメラ付き携帯電話機１２を決められた番号のロッカーに正しく格納してケーブル１３に接続した場合には“真”の値を、ケーブル１３から取り外した場合や、間違った携帯電話機をケーブル１３に接続してしまった場合や、決められたロッカー１１内のケーブル１３に携帯電話機１２を接続してない場合には“偽”の値が登録される。
【０００９】
図３は、携帯電話管理サーバ１４の詳細構成図である。
携帯電話管理サーバ１４は、入出力インターフェース３１、ＣＰＵ３２、主記憶装置３３、補助記憶装置３７を備えており、主記憶装置３３には携帯電話管理テーブルモジュール３４、遠隔起動モジュール３５、着信通話モジュール３６、また補助記憶装置３７には携帯電話管理テーブル２０が格納されている。各部の機能は以下の通りである。
ＣＰＵ３２は、各部間の信号の転送及び制御機能を有する。つまり、入出力インターフェース３１、主記憶装置３３、補助記憶装置３７、及び主記憶装置３３内に格納されている各モジュール間の信号の送受信を制御、例えば入出力インターフェース３１の送受信信号の制御、主記憶装置３３及び補助記憶装置３７の信号制御、例えば、携帯電話管理テーブルモジュール３４の携帯電話管理テーブル２０の更新処理、遠隔起動モジュール３５の１ＰＣ１５を遠隔起動させる信号の処理、着信通話モジュール３６の着信転送信号、音声信号変換の処理を行う機能を有する。
【００１０】
入出力インターフェース３１は、カメラ付き携帯電話機１２とＰＣ１５と携帯電話管理サーバ１４とのインターフェース機能を有する。例えば、ＰＣ１５の遠隔起動信号の送信、携帯電話機１２とＰＣ１５の間での音声データの送受信、その他制御のための信号やデータの送受信は入出力インターフェース３１を通して行われる。
主記憶装置３３は、各モジュールを実行するためのプログラムが格納されている。主記憶に格納されている各モジュールの機能は次に示すとおりである。
携帯電話管理テーブルモジュール３４は、ケーブル１３に正しくカメラ付き携帯電話機１２が接続された場合に、携帯電話管理テーブル２０の接続の有無２４の項目を更新する機能を持ち、カメラ付き携帯電話機１２が正しくケーブル１３に接続された場合に接続の有無２４に“真”の値を、カメラ付き携帯電話機１２がケーブル１３から外された場合、または正しくカメラ付き携帯電話機１２が接続されていない場合、または故意にカメラ付き携帯電話機１２を接続しなかった場合には、“偽”の値を登録する。
【００１１】
遠隔起動モジュール３５は、ユーザからＰＣ１５の起動が要求された場合、遠隔起動の承諾と却下を管理する機能を有する。例えば、ユーザーのＰＣ１５より起動要求があった際に、カメラ付き携帯電話機１２がロッカー１１内に正しく格納され、ケーブル１３に接続されているかどうかを、携帯電話管理テーブル２０の接続の有無２４の項目で判定し、正しく格納（項目の値が“真”）されていれば、起動信号を入出力インターフェース３１を通してＰＣ１５に送信し起動を行う。
着信通話モジュール３６は、ロッカー１１内のカメラ付き携帯電話機１２に着信があった際、携帯電話管理テーブル２０において“携帯電話番号２３＝着信中の携帯電話番号”となるレコードのＩＰアドレス２２を取得し、取得したＩＰアドレスにＩＰ電話を掛けて、音声データ、及び通信制御データを適切な形態に変換しつつ入出力インターフェース３１を通してデータの中継を行う機能を有する。
【００１２】
以下、本実施の形態の動作について図を参照して説明する。
図４は、各装置間のやりとりを示したシーケンス図である。
図４において、ユーザは自分のＰＣ１５を使用するために、（１）携帯電話機１２を所定のロッカー１１に入れ、そこに備え付けのケーブル１３に接続してロッカー１内に格納する。
（２）携帯電話管理サーバ１４はケーブル１３に携帯電話機１２が接続されると、携帯電話管理テーブル２０の更新を行う。この処理手順を表したものが図５の携帯電話接続フローチャートである。
図５において、
携帯電話機１２がケーブル１３に接続され、ロッカー１１内に格納されると（ｓ５１）、携帯電話管理サーバ１４は携帯電話管理テーブルモジュール３４を呼び出し、ケーブル１３に接続された携帯電話番号を取得し（ｓ５２）、補助記憶装置３７に格納されている携帯電話管理テーブル２０の携帯電話番号２２と照合を行い、「携帯電話番号２２＝ケーブル１３に接続されている携帯電話の番号」となったレコードの接続の有無２４の項目を”真“に更新する（ｓ５４）。
「携帯電話番号２２≠ケーブル１３に接続された携帯電話の番号」となったレコードの携帯電話の有無２２の項目は“偽”に更新する。
（３）上記動作後、ユーザはＰＣ１５のある場所へと移動し、ＰＣ１５の起動を行う。ＰＣ１５より送信された起動要求の信号は携帯電話管理サーバ１４に送られる。
（４）携帯電話管理サーバ１４は、補助記憶装置３７内の携帯電話管理テーブル２０を参照して、携帯電話機が正しく格納されていればＰＣ１５へ起動信号を送信
する。
【００１３】
図６は、ＰＣ１５の起動手順に関するフローチャートである。
ユーザがＰＣ１５を起動すると、起動要求の信号がＬＡＮケーブル１６を介して携帯電話管理サーバ１４に送信される（ｓ６１）。
携帯電話管理サーバ１４内では遠隔起動モジュール３５が呼び出され、起動要求信号の送信元のＩＰアドレスをキー値として携帯電話管理テーブル２０のＩＰアドレス２０の項目と照合を行い、ＩＰアドレス２０が一致するレコードの接続の有無２４の値を取得し（ｓ６２）、“接続の有無２４＝真”ならば起動要求を受諾し、遠隔操作により起動要求があったＰＣ１５の起動を行う（ｓ６４）。
“接続の有無２４＝偽”だった場合には、携帯電話機管理サーバ１４は正しく携帯電話機１２をロッカー１１内に格納するようにユーザに促すためにＰＣ１５へ命令を送り、起動要求を却下する（ｓ６５）。結果として、ＰＣ１５が起動した場合には隔離された場所には携帯電話機１２が正しく格納されていることとなり、カメラ付き携帯電話機１２のカメラ機能を使用してディスプレイ画像の盗撮を行うことはできなくなる。
（６）ＰＣ１５の起動中に、ロッカー１１の中のカメラ付き携帯電話機１２に着信があった場合、携帯電話管理サーバ１４はユーザが使用中のＰＣ１５に着信信号の転送を行い、ＰＣ１５へＩＰ電話を掛けることにより、通話を可能とする。
【００１４】
図７は、ユーザがＰＣ１５の起動が成功した後、携帯電話機１２に着信があった場合の着信通話のフローチャートを示している。
携帯電話機１２に着信があった場合（ｓ７１）、着信通話モジュール３６は着信があった携帯電話機の番号と携帯電話管理テーブル２０の携帯電話番号２３の項目と照合を行い、“着信があった携帯電話の番号＝携帯電話番号２３の項目”となるレコードのＩＰアドレス２２を取得し（ｓ７２）、取得されたＩＰアドレスを使用して、ＰＣ１５にＩＰ電話をかけることにより（ｓ７３）、通話を可能とする（ｓ７４）。
着信の転送時、及び通話時には着信通話モジュール３６は、音声データや通信制御信号を適切な形に変換してデータの送受信を行う。これにより、隔離された場所にある携帯電話機１２に着信があった際にも通話を行うことが可能となる。
【図面の簡単な説明】
【００１５】
【図１】本発明の実施の形態を示すシステム構成図である。
【図２】携帯電話管理テーブルの構成図である。
【図３】携帯電話管理サーバの詳細構成図である。
【図４】各装置間のやりとりを示すシーケンス図である。
【図５】ロッカー内に携帯電話機が格納された場合の処理手順を示すフローチャートである。
【図６】ＰＣ起動手順を示すフローチャートである。
【図７】着信転送通話を行う場合の処理手順を示すフローチャートである。
【符号の説明】
【００１６】
１１    ロッカー
１２    カメラ付き携帯電話機
１３    ケーブル
１４    携帯電話管理サーバ
１５    ＰＣ
１６    ＬＡＮケーブル
２０    携帯電話管理テーブル
【図１】
2006235819.tif 000003
【図２】
2006235819.tif 000004
【図３】
2006235819.tif 000005
【図４】
2006235819.tif 000006
【図５】
2006235819.tif 000007
【図６】
2006235819.tif 000008
【図７】
2006235819.tif 000009